(57)【要約】【課題】従来の壁面３０に取り付けられるスイッチの操作部１０はスイッチカバー１の前面から突出していたので、壁への寄掛り、ボール等の飛来物体との衝突、あるいは運搬物との衝突等によりスイッチ本体の破損あるいはスイッチ本体がその取付枠から脱落した。本考案はこれらの不具合を解決しようとするものである。【解決手段】スイッチの操作部１０を取り囲むスイッチカバー前面部分１ｂの高さＨを、スイッチカバー１を壁面３０に取り付けた状態で、スイッチ操作部の高さｈより高くした。【選択図】図１
0003132921.tif 000002
【実用新案登録請求の範囲】
【請求項１】
スイッチ操作部を外部に露出するための操作孔が設けられた壁面用スイッチカバーにおいて、操作孔を取り囲むスイッチカバー前面部分の高さを、スイッチカバーを壁面に取り付けた状態で、スイッチ操作部の高さより高くした事を特徴とするスイッチ用カバープレート。
【請求項２】
スイッチ操作部より高くされた操作孔を取り囲むスイッチカバー前面部分からスイッチカバー外周面に向かって下降する傾斜面を設けたことを特徴とする請求項１記載のスイッチ用カバープレート。
【考案の詳細な説明】
【技術分野】
【０００１】
本考案は、壁面に取り付けられたスイッチ本体を衝撃等から保護するためのスイッチカバーに関するものである。
【背景技術】
【０００２】
従来の壁面に取り付けられるスイッチは、壁面凹部に設置されたスイッチ本体取付枠と、その取付枠に取り付けられたスイッチ本体と、そのスイッチ本体のスイッチ操作部を外部に露出するための操作孔が設けられた前記壁面凹部を塞ぐスイッチカバーとから構成されており、そのスイッチのＯＮ・ＯＦＦ操作は操作孔を貫通して外部に突出したスイッチ操作部を手により操作することでなされるようになっている。そして、そのスイッチ操作部はスイッチカバーの前面から突出していた。
【考案の開示】
【考案が解決しようとする課題】
【０００３】
スイッチ本体の操作部がスイッチカバーの前面から突出していると、壁への寄掛り、ボール等の飛来物体との衝突、あるいは運搬物との衝突等により操作部が反転して消灯されてしまったり、最悪の場合には操作部に過度の力が掛ってスイッチ本体の破損あるいはスイッチ本体がその取付枠から脱落するという危険性を有していた。本考案はこれらの不具合を解決するためにスイッチ操作部を衝突等から回避しようとするものであり、また、この回避を行なおうとしたときに生じやすいスイッチカバー自体の衝突による破損を少なくしようとするものである。
【課題を解決するための手段】
【０００４】
スイッチ操作部を外部に露出するための操作孔が設けられた壁面用スイッチカバーにおいて、操作孔を取り囲むスイッチカバー前面部分の高さを、スイッチカバーを壁面に取り付けた状態で、スイッチ操作部の高さより高くすることにより問題点を解決している。（請求項１記載の考案）
さらに、スイッチ操作部より高くされた操作孔を取り囲むスイッチカバー前面部分からスイッチカバー外周面に向かって下降する傾斜面を設ける。（請求項２記載の考案）
【考案の効果】
【０００５】
上述の様に請求項１記載の考案においては、スイッチカバーを壁面に取り付けた状態では操作孔を取り囲むスイッチカバー前面部分はスイッチ操作部より高い位置にあるので、スイッチ操作部を押圧しようとするもの、あるいはスイッチ操作部に衝突しようとするものは操作孔を取り囲む部分でブロックされてスイッチ操作部に接触することができない。よって、スイッチ操作部は衝突等から回避される。
また、請求項２記載の考案においては、外周面の壁面からの立ち上がり高さが低くなるため、外周面に一番力がかかる状態、すなわち衝突物が外周面に垂直にぶつかる機会も少なくなり、また、壁面からの突出が緩やかとなり人の邪魔にもならない。
【考案を実施するための最良の形態】
【０００６】
スイッチ操作部を外部に露出するための操作孔が設けられた壁面用スイッチカバーにおいて、操作孔を取り囲むスイッチカバー前面部分の高さを、スイッチカバーを壁面に取り付けた状態で、スイッチ操作部の高さより高くする。
さらに、スイッチ操作部より高くされた操作孔を取り囲むスイッチカバー前面部分からスイッチカバー外周面に向かって下降する傾斜面を設ける。
【実施例１】
【０００７】
以下、添付図面に従って本考案の実施例を説明する。
【実施例２】
【０００８】
図１及び図３は本考案の実施例１を示すものであり、図１は本考案のスイッチカバー１を壁面３０に取り付けた状態を示す斜視図である。図１に示すように、スイッチカバー１の中央の壁面３０に平行な面１ｅには操作孔１ａが設けられており、この操作孔１ａを貫通してタンブラスイッチ本体の操作部１０が外部に露出している。この平行な面１ｅから操作孔１ａを取り囲むスイッチカバー前面部分１ｂが立ち上がり、そのまま壁面に平行に伸びて外周面１ｃ、１ｄに達している。なお、スイッチカバー１は耐久・耐食性の金属やプラスチック等の適宜素材にて一体化形成するのがよい。
【０００９】
図２は本考案の特徴を示すもので、図１のスイッチカバー１をＡ−Ａ方向に見た断面図である。タンブラースイッチの操作部１０はその右側が押され、その左側端１０ａが一番上がった静止状態を示している。操作孔１ａを取り囲むスイッチカバー前面部分１ｂの高さＨを、スイッチカバーを壁面３０に取り付けた状態で、操作部１０の高さｈより高くなるよう設計されている。なお、この差（Ｈ−ｈ）が大きければ大きいほど後述するスイッチ操作部１０と飛来物２０とのすきまｅが大きくなって飛来物との衝突は回避されやすいが、スイッチ操作がやりにくくなる。そこで、その差を５〜１０ｍｍとするのが適当である。
【００１０】
図３は、図２の状態でボール等の衝突物２０が壁面３０に垂直方向に飛来してスイッチカバー１に衝突した状態を示すものである。図３に示すようにボール等の衝突物２０は操作孔１ａを取り囲むスイッチカバー前面部分１ｂの角部１ｆ、１ｆによりブロックされ、スイッチ操作部１０と飛来物２０との間にすきまｅが形成され、衝突物２０とスイッチ操作部１０との衝突が回避されている。
【実施例３】
【００１１】
図４及び図６は実施例２を示すもので、図４は本考案のスイッチカバー１を壁面３０に取り付けた状態を示す斜視図であり、図５は外周面１ｄに対向して見た側面図、図６は外周面１ｃに対向して見た正面図である。
実施例１では操作孔１ａを取り囲むスイッチカバー前面部分１ｂは壁面３０に平行に伸びて外周面１ｃ、１ｄに達している。したがって、スイッチカバー外周面の高さＨはスイッチ操作部がスイッチカバーから突出している従来のスイッチカバーの高さより高くなる。そのため衝突物が外周面１ｃ、１ｄに垂直にぶつかる機会も多くなる。
【００１２】
実施例２はこの外周面の壁面３０からの立ち上がり高さを低くしたもので、スイッチ操作部１０より高くされた操作孔１０ａを取り囲むスイッチカバー前面部分１ｂからスイッチカバー外周面１ｃ、１ｄに向かって下降する傾斜面１ｇ、１ｈを設ける。この傾斜面１ｇ、１ｈを設けることにより外周面の壁面からの立ち上がり高さＨ１は低くなり、衝突物が外周面１ｃ、１ｄに垂直にぶつかる機会も少なくなる。また、傾斜面１ｇ、１ｈに対して衝突物が壁面３０に平行に衝突しても傾斜面１ｇ、１ｈにかかる垂直な力は小さくなるので傾斜面１ｇ、１ｈは破損しにくい。
【図面の簡単な説明】
【００１３】
【図１】実施例１のスイッチカバーを壁面に取り付けた状態を示す斜視図
【図２】図１においてＡ−Ａ方向に見たスイッチカバー断面図
【図３】実施例１のスイッチカバーに衝突物が衝突した図
【図４】実施例２のスイッチカバーを壁面に取り付けた状態を示す斜視図
【図５】実施例２の側面図
【図６】実施例２の正面図
【符号の説明】
【００１４】
１      スイッチカバー本体
１ａ    スイッチ挿入通穴
１ｂ    スイッチカバー前面
１ｃ    スイッチカバー長方向外周面
１ｄ    スイッチカバー短方向外周面
１ｅ    壁面に平行な面
１ｆ    操作孔１ａを取り囲むスイッチカバー前面部分１ｂの角部
１ｇ    傾斜面
１ｈ    傾斜面
１０    スイッチ操作部
１０ａ  スイッチ操作部の最高部分
２０    ボール等の飛来物
３０    壁面
ｈ      スイッチ操作部の取付面からの高さ
Ｈ      スイッチカバー前面の取付面からの高さ
Ｈ１    外周面の壁面からの立ち上がり高さ
ｅ       スイッチ操作部と飛来物とのすきま
【図１】
0003132921.tif 000003
【図２】
0003132921.tif 000004
【図３】
0003132921.tif 000005
【図４】
0003132921.tif 000006
【図５】
0003132921.tif 000007
【図６】
0003132921.tif 000008